(57)【要約】【課題】内側に形成される空間に電磁波が通り抜けることを抑制できるシャント抵抗器を提供することを目的とする。【解決手段】第１の閉塞部２１は、第１の導体部２と一体で形成され、且つ第２の導体部３側に略９０度折り曲げられている。また、第１の閉塞部２１の連結部４側の一端を連結部４側に向かって突出させることで、第１の突出部２１ａを有している。第２の閉塞部３１は、第２の導体部３と一体で形成され、且つ第１の導体部２側に略９０度折り曲げられており、第１の閉塞部２１と非接触な状態で重なり合って設けられる。また、第２の閉塞部３１の連結部４側の一端を連結部４側に向かって突出させることで、第２の突出部３１ａを有している。【選択図】　　　　図１
2004132842.tif 000002
【特許請求の範囲】
【請求項１】
互いに空間を隔てて対向する第１及び第２の導体部を有し、
前記第１及び第２の導体部の一端が連結されるシャント抵抗器であって、
前記第１及び第２の導体部の少なくとも一方には、前記空間の一方側を塞ぐための閉塞部が一体に形成されていることを特徴とするシャント抵抗器。
【請求項２】
前記閉塞部は、前記第１及び第２の導体部の少なくとも一方に形成され、且つ前記空間の両側を塞いでいることを特徴とする請求項１記載のシャント抵抗器。
【請求項３】
前記空間の一方側を塞ぐ前記第１の導体部に一体に形成される前記閉塞部と前記第２の導体部に一体に形成される前記閉塞部とは、非接触な状態で重なり合うことを特徴とする請求項２記載のシャント抵抗器。
【請求項４】
前記閉塞部は、前記第１もしくは第２の導体部から突出させ、且つ折り曲げて形成されることを特徴とする請求項１から３のいずれか１つに記載のシャント抵抗器。
【請求項５】
前記第１及び第２の導体部の一端を連結する連結部が円弧状であるシャント抵抗器において、
前記閉塞部の前記連結部側の一端は、前記連結部側に向かって突出して形成されていることを特徴とする請求項１から４のいずれか１つに記載のシャント抵抗器。
【発明の詳細な説明】
【０００１】
【発明の属する技術分野】
本発明は、各種産業機器、動力機器、電化製品及び電子機器等に使用され、電力供給回路における負荷電流を検出するシャント抵抗器に関する。
【０００２】
【従来技術】
従来より、例えば電動パワーステアリング装置には、電動モータに流れている電流を検出する矩形形状のシャント抵抗が制御基板に設けられている。このシャント抵抗で検出された電流値に基づいて、マイコン等の制御素子が電動モータをフィードバック制御している（例えば、特許文献１参照。）。
【０００３】
【特許文献１】
特開平１１−１１５７７５号公報（第３頁右欄第４８行〜第４頁左欄第２行、第２図）
【０００４】
【発明が解決しようとする課題】
ところが、特許文献１に記載されているように、シャント抵抗が矩形形状であることから、内側に空間が形成される。そのため、例えば携帯電話等の車両外部からの電磁波や車両内に設けられる他のＥＣＵ等の外部機器から発生する電磁波、さらには電動パワーステアリング装置の電動モータと制御基板とを結ぶ接続線から発生する電磁波がシャント抵抗の内側に形成される空間を通り抜けることで、シャント抵抗には、ノイズを含んだ電流が流れてしまう。これにより、制御素子が電動モータに流れている正確な電流を検出することができないという問題がある。
【０００５】
本発明は、上記問題に鑑みなされたものであり、内側に形成される空間を電磁波が通り抜けることを抑制できるシャント抵抗器を提供することを目的とする。
【０００６】
【課題を解決するための手段】
上記課題を解決するために、請求項１では、互いに空間を隔てて対向する第１及び第２の導体部を有し、第１及び第２の導体部の一端が連結されるシャント抵抗器であって、第１及び第２の導体部の少なくとも一方には、空間の一方側を塞ぐための閉塞部が一体に形成されていることを特徴としている。
【０００７】
この構成により、閉塞部によって空間の一方側が塞がれることから、電磁波が空間を通り抜けることを抑制できる。また、閉塞部は、第１及び第２の導体部の少なくとも一方に一体に形成されているため、新たな部品点数の増加を招かない。
【０００８】
また、請求項２では、閉塞部は、第１及び第２の導体部の少なくとも一方に形成され、且つ空間の両側を塞いでいることを特徴としている。
【０００９】
この構成により、閉塞部によって空間の両側が塞がれることから、電磁波が空間内に進入することを抑制できるため、電磁波が空間を通り抜けることを抑制できる。
【００１０】
また、請求項３では、空間の一方側を塞ぐ第１の導体部に一体に形成される閉塞部と第２の導体部に一体に形成される閉塞部とは、非接触な状態で重なり合うことを特徴としている。
【００１１】
この構成により、空間の一方側を塞ぐ第１の導体部に形成される閉塞部と第２の導体部に形成される閉塞部とが二重に重なり合うことから、電磁波が空間を通り抜けることをより抑制できる。
【００１２】
また、請求項４では、閉塞部は、第１もしくは第２の導体部から突出させ、且つ折り曲げて形成されることを特徴としている。
【００１３】
この構成により、展開形状が平らな状態から折り曲げることで、シャント抵抗器を形成することができる。
【００１４】
また、請求項５では、第１及び第２の導体部の一端を連結する連結部が円弧状であるシャント抵抗器において、閉塞部の連結部側の一端は、連結部側に向かって突出して形成されていることを特徴としている。
【００１５】
この構成により、第１及び第２の導体部の一端を連結する連結部が円弧状であるシャント抵抗器では、連結部に閉塞部を設けると、折り曲げることが困難であるため、閉塞部の連結部側の一端を連結部側に向かって突出して形成させることで、閉塞部によって隙間が生じることなく空間を塞ぐことができる。
【００１６】
【発明の実施の形態】
以下、図に示す実施形態について説明する。
【００１７】
シャント抵抗器は、例えば電動パワーステアリング装置等の電動モータに流れている電流を検出するために、制御部の制御基板に設けられている。このシャント抵抗器で検出された電流値に基づいて、制御部の制御素子が電動モータをフィードバック制御している。
【００１８】
図１は、本発明のシャント抵抗器の斜視図である。図２は、本発明のシャント抵抗器の平面図である。図３は、図１のＩＩ−ＩＩ矢視断面図である。
【００１９】
本発明のシャント抵抗器１は、図１から図３に示すように、銅及びニッケルからなる合金であって略Ｕ字状を呈しており、第１の導体部２、第２の導体部３及び第１の導体部２と第２の導体部３とを連結する連結部４から構成され、且つ第１の導体部２と第２の導体部３と連結部４との間には、空間５が形成されている。
【００２０】
第１の導体部２は、制御基板８と半田を介して接続される第１の接続部６を有している。また、第１の導体部２には、空間５の貫通方向の両端部を突出させることで、第１の閉塞部２１が形成されている。
【００２１】
第１の閉塞部２１は、第１の導体部２と一体で形成され、且つ第２の導体部３側に略９０度折り曲げられている。また、第１の閉塞部２１の連結部４側の一端を連結部４側に向かって突出させることで、第１の突出部２１ａを有している。
【００２２】
第２の導体部３は、制御基板８と半田を介して接続される第２の接続部７を有し、且つ第１の導体部２と空間５を隔てて対向して設けられている。また、第２の導体部３には、空間５の貫通方向の両端部を突出させることで、第２の閉塞部３１が形成されている。
【００２３】
第２の閉塞部３１は、第２の導体部３と一体で形成され、且つ第１の導体部２側に略９０度折り曲げられており、第１の閉塞部２１と非接触な状態で重なり合って設けられる。また、第２の閉塞部３１の連結部４側の一端を連結部４側に向かって突出させることで、第２の突出部３１ａを有している。
【００２４】
連結部４は、第１の導体部２の一端及び第２の導体部の一端と連結され、且つ円弧状を呈している。
【００２５】
また、第１の閉塞部２１及び第２の閉塞部３１は、図２に示すように、制御基板８面と接触しないように設けられる。本実施形態では、第１の閉塞部２１及び第２の閉塞部３１と制御基板８とは、約１ｍｍ程度の空隙を持たせて設けられている。
【００２６】
以上説明したシャント抵抗器１では、第１の導体部２に第１の閉塞部２１が設けられ、且つ第２の導体部３側に略９０度折り曲げられている。さらに、第２の導体部３に第２の閉塞部３１が設けられ、且つ第１の導体部２側に略９０度折り曲げられている。この構成により、第１の閉塞部２１と第２の閉塞部３１とによって空間５を塞ぐことができるため、例えば携帯電話等の車両外部からの電磁波や車両内に設けられる他のＥＣＵ等の外部機器から発生する電磁波、さらには電動パワーステアリング装置の電動モータと制御基板８とを結ぶ接続線から発生する電磁波が空間５を通り抜けることを抑制できる。これにより、シャント抵抗器１にノイズを含んだ電流が流れることを抑制できる。
【００２７】
また、空間５の一方側を塞ぐ第１の閉塞部２１と第２の閉塞部３１とは、非接触な状態で設けられることから、シャント抵抗器１に流れる電流が第１の導体部２、連結部４及び第２の導体部３の順に流れるため、従来と同様に電流が流れる経路が変わることがない。
【００２８】
さらに、空間５の一方側を塞ぐ第１の閉塞部２１と第２の閉塞部３１とは、二重に重なり合って設けられることから、上記の電磁波が空間５を通り抜けることをより抑制できる。
【００２９】
また、Ｕ字状のシャント抵抗器１では、円弧状の連結部４に第１の閉塞部２１もしくは第２の閉塞部３１を設けると、折り曲げることが困難であるため、第１の閉塞部２１及び第２の閉塞部３１の連結部４側一端を連結部４側に突出して第１の突出部２１ａ及び第２の突出部３１ａを設けることで、空間５を隙間が生じることなく塞ぐことができる。
【００３０】
また、第１の閉塞部２１と第２の閉塞部３１とは、第１の導体部２と第２の導体部３とに一体に設けられていることから、部品点数の増加を招くことがない。
【００３１】
なお、本実施形態では、第１の閉塞部２１と第２の閉塞部３１とが９０度折り曲げられることで、空間５を塞いでいるが、空間５を塞ぐことが可能な角度で折り曲げられていればよい。
【００３２】
なお、従来のシャント抵抗器１の第１の導体部２及び第２の導体部３に第１の閉塞部２１と第２の閉塞部３１とを一体に設けることで、電磁波が空間５を通り抜けることを抑制できるが、シャント抵抗器１の表面積が増加するため、シャント抵抗器１の抵抗値が低下してしまう。これにより、制御部が検出する電圧値が低下し、分解能が下がってしまう。このことから、本実施形態のシャント抵抗器１の表面積と従来の表面積とが同じになるように構成することが必要になる。
【００３３】
［変形例］
本実施形態の第１の導体部２及び第２の導体部３には、空間５の貫通方向の両端部に第１の閉塞部２１及び第２の閉塞部３１が設けられているが、第１の導体部２及び第２の導体部３の一端側にのみに第１の閉塞部２１及び第２の閉塞部３１が設けられていてもよい。また、第１の導体部２の一端側にのみに第１の閉塞部２１を設け、第２の導体部３の他端側にのみに第２の閉塞部３１が設けられていてもよい。さらに、第１の導体部２もしくは第２の導体部３の何れかの一端側にのみに第１の閉塞部２１もしくは第２の閉塞部３１が設けられていてもよい。
【図面の簡単な説明】
【図１】本発明のシャント抵抗器の斜視図である。
【図２】本発明のシャント抵抗器の平面図である。
【図３】図１のＩＩ−ＩＩ矢視断面図である。
【符号の説明】
１…シャント抵抗器、
２…第１の導体部、
３…第２の導体部、
４…連結部、
５…空間、
６…第１の接続部、
７…第２の接続部、
２１…第１の閉塞部、
２１ａ…第１の突出部、
３１…第２の閉塞部、
３１ａ…第２の突出部。
【図１】
2004132842.tif 000003
【図２】
2004132842.tif 000004
【図３】
2004132842.tif 000005